(57)【要約】  本発明による洗浄装置は、洗浄流体及び乾燥流体が各流体専用の入口ノズル（１１０、１１１）から選択的に流入する少なくとも１つの流体入口及び分配装置（Ｄ）を備える。前記入口及び分配装置（Ｄ）は、前記洗浄流体及び前記乾燥流体をそれぞれ分配するための別個の分配チャネル（２１、２２）と、前記各流体をそのそれぞれの前記入口ノズル（１１０、１１１）からそのそれぞれの前記分配チャネル（２１、２２）まで搬送するための別個の搬送ユニット（１１２、１１４、２１；１１３、２２）と、を含む。
2019531964.tif 000002
【特許請求の範囲】
【請求項１】
少なくとも１つの流体を自動車の洗浄すべき面に向けて、例えば光学検出システムの光学センサに向けて、噴霧することが意図された洗浄装置であって、
洗浄流体及び乾燥流体が、選択的に、各流体用の入口ノズル（１１０、１１１）から流入する、少なくとも１つの、流体入口及び分配装置（Ｄ）を備え、
前記入口及び分配装置（Ｄ）は、前記洗浄流体及び前記乾燥流体をそれぞれ分配するための別個の分配チャネル（２１、２２）と、前記各流体をそのそれぞれの前記入口ノズル（１１０、１１１）からそのそれぞれの前記分配チャネル（２１、２２）まで搬送するための別個の搬送ユニット（１１２、１１４、２１；１１３、２２）と、を含む、ことを特徴とする洗浄装置。
【請求項２】
前記洗浄流体及び前記乾燥流体をそれぞれ分配するための前記別個の分配チャネル（２１、２２）は、各チャネル用の分配オリフィスを含む、
ことを特徴とする請求項１に記載の洗浄装置。
【請求項３】
前記別個のチャネル（２１、２２）は、前記入口及び分配装置の中空本体（１）に配置された入口及び分配ロッド（２）内に作製される、
ことを特徴とする請求項１又は２に記載の洗浄装置。
【請求項４】
一方の入口ノズルは、前記中空本体（１）内に形成されたキャビティ（１４）であって前記ロッド（２）が収容されたキャビティ（１４）に開口し、
他方の入口ノズルは、前記ロッド（２）内に形成された対応する入口チャネル（２２）に収容された搬送チューブ（１１４）に直接開口する、
ことを特徴とする請求項１〜３のいずれか一項に記載の洗浄装置。
【請求項５】
前記入口及び分配ロッド（２）を、前記中空本体（１）の内部における非稼働位置と延出位置との間で移動させるための手段を含む、
ことを特徴とする請求項３又は４に記載の洗浄装置。
【請求項６】
前記入口及び分配ロッド（２）を移動させるための前記手段は、前記流体のうちの一方を搬送するための搬送ユニットと共用の手段を備える、
ことを特徴とする請求項１〜５のいずれか一項に記載の洗浄装置。
【請求項７】
前記入口及び分配ロッドを移動させるための前記手段は、前記ロッドの位置の弾性復帰用要素（３）を備える、
ことを特徴とする請求項５又は６に記載の洗浄装置。
【請求項８】
前記乾燥流体分配チャネル（２２）は、少なくとも前記搬送チューブ（１１４）を移動させる位置において実質的に一定の直径を有し、
前記搬送チューブ（１１４）が収容された前記乾燥流体分配チャネル（２２）に摩擦接触するように構成されたシール（１１６）を受容するように、前記搬送チューブ（１１４）の前記外壁に周溝（１１５）が設けられる、
ことを特徴とする請求項５〜７の一項に記載の洗浄装置。
【請求項９】
フィンガ（１１７）が前記洗浄流体分配チャネル（２１）の内部で延び、前記フィンガ（１１７）は、前記洗浄流体入口ノズル（１１０）の延長軸に対してオフセットされている、
ことを特徴とする請求項１〜８のいずれか一項に記載の洗浄装置。
【請求項１０】
前記洗浄流体分配チャネル（２１）は、異なる直径を有する部分を有し、これらの直径は、前記分配ロッドの前記上流端部からその前記下流端部に向かって縮小し、前記フィンガ（１１７）の少なくとも前記下流端部が、前記ロッドに対する前記フィンガの相対移動に応じて、異なる直径を有する部分において延びるように構成される、
ことを特徴とする請求項３と組み合わせた請求項９に記載の洗浄装置。
【請求項１１】
前記洗浄流体分配チャネル（２１）の中間部分の前記直径、前記中空本体（１）の前記フィンガ（１１７）の外径は、前記フィンガ（１１７）がシールした態様で前記洗浄流体分配チャネル（２１）の前記中間部分内で摺動可能であるとともに、前記シールが前記上流部分内にある時に洗浄流体を通過させ得るように規定される、
ことを特徴とする請求項１０に記載の洗浄装置。
【請求項１２】
前記分配ロッド（２）は、その前記上流端部の付近にリム（２０）を備える、
ことを特徴とする請求項４乃至１１に記載の洗浄装置。
【請求項１３】
シール（２０１）を受容するように前記リム（２０）の前記外壁に周溝（２００）が設けられ、これにより、前記シール（２０１）が設けられた前記分配ロッド（２）は、シールした態様で前記中空本体（１）内で摺動可能である、
ことを特徴とする先行請求項に記載の洗浄装置。
【請求項１４】
前記洗浄装置は、前記別個の分配チャネル（２１、２２）を含む前記入口及び分配装置（Ｄ）の他に、洗浄流体貯蔵タンク（５）と、乾燥流体貯蔵タンク（７）と、前記タンクと前記入口及び分配装置との間での洗浄流体の通流を制御するための要素（８）と、を備え、
前記要素（８）は、
非稼働位置にある前記入口及び分配装置（Ｄ）への洗浄流体の流入をブロックするように構成され、
第１に前記入口及び分配装置を洗浄位置に移動させること、及び第２に洗浄流体を噴霧することを目的として、前記入口及び分配装置に洗浄流体を供給するように構成され、且つ、
乾燥流体の供給が洗浄流体の供給から独立して制御され得る状態で、前記キャビティ内に洗浄液をブロックしつつ前記流体入口及び洗浄装置（Ｄ）を前記洗浄位置に保持するように構成される、
ことを特徴とする請求項１乃至１３の一項に記載の洗浄装置。
【請求項１５】
光学検出システムが設けられた自動車であって、
前記光学検出システムの光学センサを洗浄するための請求項１〜１４のいずれか一項に記載の少なくとも１つの洗浄装置を含むことを特徴とする、
自動車。
【発明の詳細な説明】
【技術分野】
【０００１】
本発明は、運転支援装置の分野に関し、より具体的には、この目的のために使用される光学検出システムの分野に関する。本発明は、より具体的には、少なくとも１つの流体を、自動車の洗浄すべき表面に向けて、例えば光学センサ、又は光学検出システムに向けて噴霧することが意図された洗浄装置に関する。
【背景技術】
【０００２】
光学検出システムという用語は、人にとって可視の又は不可視のスペクトラム、特に赤外線における発光及び／又は光の検出に基づくカメラ、レーザーセンサ（ライダーとして公知）又は他のセンサ等の光学センサを含むシステムを指すように使用される。
【０００３】
このような光学検出システムは、車両（乗り物）のドライバーを特定の運転状況において支援するように、ますます多くの自動車に設けられている。駐車の支援が特定の運転状況の周知の一例である。このような支援をできる限り効果的なものとするために、光学検出システムにより提供されるデータは可能な限り高品質であることが必要である。したがって、このようなデータ獲得を実施する光学部品を洗浄することが必須である。このため、光学検出システムのセンサ（例えば静止カメラのレンズ）を洗浄するための装置が、検出（例えば露出）が実施される直前に洗浄液を前記センサに噴射するように制御され得る。このような洗浄装置は、光学センサの動作を妨げることがあってはならず、且つ車両のスペース的制約に合致するように可能な限りコンパクトでなくてはならない。また、このような光学センサに噴霧されて汚れをそこから除去する洗浄流体は通常液体であるため、このような液体が残し得る痕跡（染み、流跡等）で信号が汚染されるリスクを回避するように、この光学センサを可及的速やかに乾燥させることが有益である。このために、洗浄流体の後に、光学センサに向けて、洗浄流体及びこれが付帯した汚れを当該センサから除去し得る空気流（又は別の乾燥流体）を噴霧することが公知である。したがって、このような洗浄装置は、洗浄流体及び乾燥流体を搬送して分配するための手段を含む。通常、洗浄流体分配回路と乾燥流体（一般的に空気）分配回路は、共通の部分を含む、及び／又は互いに入れ子状になっている。特に、洗浄流体及び乾燥流体を、光学センサの表面に向けて、単独の分配ユニットを介して分配することが公知である。分配ユニットは、分配チャネルにより提供される分配ノズルの形状にあり、その内部で洗浄流体及び乾燥流体が交互に運搬される。この分配チャネルは、分配ノズルの最端部において、単数又は複数の分配オリフィスに開口している。分配オリフィスは、洗浄流体及び乾燥流体が可能な限りセンサの表面の多くに到達するように構成されている。このような構成は必要とされるスペースという点では有利であるが、流体同士が混じり合うというリスクをはらむ。特に、乾燥流体の分配の直前に、洗浄流体が多少とも分配チャネルにトラップされたままであり、光学センサの表面に乾燥流体と同時に到達してしまうことがある。これにより、光学センサの乾燥が不十分となり、その良好な動作が阻害される。
【発明の概要】
【０００４】
本発明の目的は、洗浄流体と乾燥流体とが混じり合うことを回避しつつ、このような洗浄装置の有効性を向上させることである。
【０００５】
この目的のために、本発明は、少なくとも１つの流体を自動車の洗浄すべき面に向けて、例えば光学検出システムの光学センサに向けて、噴霧することが意図された洗浄装置であって、洗浄流体及び乾燥流体が選択的に各流体専用の入口ノズルから流入する、少なくとも１つの、流体入口及び分配装置を備えた洗浄装置に関する。前記入口及び分配装置は、前記洗浄流体及び前記乾燥流体をそれぞれ特に前記洗浄すべき表面に向けて分配するための別個の分配チャネルと、前記各流体をそのそれぞれの前記入口ノズルからそのそれぞれの前記分配チャネルまで搬送するための別個の搬送ユニットと、を含む。
【０００６】
洗浄すべき表面とは、光学検出システムの光学センサ、カメラのレンズ、又は本体の特殊要素を意味する。
【０００７】
本発明の１つの特徴によれば、前記洗浄流体及び前記乾燥流体をそれぞれ分配するための前記別個の分配チャネルは、各チャネル専用の分配オリフィスを含む。
【０００８】
前記別個のチャネルは、前記入口及び分配ヘッドの中空本体に配置された入口及び分配ロッド内に作製され得る。
【０００９】
前記中空本体は、実質的に円柱状又は円筒状の形状を有し得るとともに、係止リングによって互いに連結された２つの部分から構成され得る。中空本体は、周壁及び上流端部から形成される上流部分と、周壁及び下流端部から形成される下流部分と、上流部分と下流部分との連結を提供する係止リングと、からなることが想定され得る。中空本体の上流部分の周壁と、中空本体の下流部分の周壁は、いずれも実質的に円筒状の形状を有し得るとともに、実質的に同一の内径、外径、及び軸方向寸法を有し得る。ここで、及び以下において、「上流」及び「下流」という用語は、本発明による洗浄装置の入口及び分配ヘッドにおける洗浄及び乾燥流体の流れの方向を指すものであるということを理解されたい。したがって、「上流」という用語は、洗浄及び乾燥流体が流入するヘッドの側を指し、「下流」という用語は、洗浄及び乾燥流体が当該光学センサの表面に向けて分配されるヘッドの側を指す。
【００１０】
係止リングは、中空本体の上流及び下流部分の周壁を受容して支持するように構成され得るとともに、中空本体の上流及び下流部分をその組立の際に案内するための手段を形成する第１及び第２スリーブを含む。したがって、中空本体の組立において、その上流部分及び下流部分は、第１スリーブ及び第２スリーブにそれぞれ嵌合される。したがって、中空本体の上流部分と下流部分と係止リングは、中空本体の内部を形成するキャビティを規定する。装置は、本発明による装置の外側に対面する当該キャビティをシールするための、特に２つのＯリングの形状を取る手段を含み得る。各Ｏリングは、上流端部の内壁の周縁部、及び下流端部の内壁の周縁部にこの目的のために配置された溝に挿入される。
【００１１】
上流端部は、中空本体のキャビティを上流で、その上流部分の周壁に対して実質的に垂直に閉鎖する。互いに別個の洗浄流体入口ノズル及び乾燥流体入口ノズルが、上流方向において上流端部から延びる。これらのノズルは、それらが以下に記載の機能を発揮し得る限り、別に作製され得ること、また両方を上流端部に接続しなくてもよいことを理解されたい。
【００１２】
これらの入口ノズルのそれぞれは、実質的に円筒状の形状を有し得るとともに、その回転軸（中心軸）の方向において、対応する流体が流入する入口チャネルが上流から下流に貫通し得る。すなわち、洗浄流体入口ノズルには、洗浄流体入口チャネルが貫通し、乾燥流体入口ノズルには当該乾燥流体が流入する入口チャネルが貫通している。
【００１３】
本発明の１つの特徴によれば、一方の入口ノズルが、前記中空本体内に形成されたキャビティであって、前記ロッドが収容されたキャビティに開口し、他方の入口ノズルが前記ロッド内に形成された対応する入口チャネルに収容された搬送チューブに直接開口する。
【００１４】
洗浄流体入口ノズルには、キャビティに開口するとともに、特に上流端部と同一平面にある洗浄流体入口チャネルが上流から下流に貫通している。
【００１５】
乾燥流体入口ノズルには、搬送チューブが連続している。搬送チューブの下流端部（下流最端部）は、ロッド内に作製された乾燥流体分配チャネル内で延びる。前記乾燥流体入口ノズル及び前記チューブには、当該乾燥流体が流入する入口チャネルが上流から下流に貫通しており、入口チャネルは、ロッド内において乾燥流体分配チャネルに開口している。
【００１６】
特にロッドが中空本体内で可動である配置に関して、単独で又は組み合わせて採用される一連の特徴によれば、以下の構成が作製され得る。
‐前記洗浄装置は、前記入口及び分配ロッドを、前記中空本体の内部における非稼働位置と延出位置との間で移動させるための手段を含む。
‐前記入口及び分配ロッドを移動させるための前記手段は、前記流体のうちの一方を搬送するための搬送ユニット、特に洗浄流体搬送ユニットと共用の手段を備える。
‐前記キャビティに開口する前記入口ノズルを介した流体の到達は、当該キャビティの充填及び前記ロッドの移動に寄与する。
‐前記入口及び分配ロッドを移動させるための前記手段は、前記ロッドを位置決めする弾性復帰用要素を備える。
‐前記乾燥流体分配チャネルは、少なくとも前記搬送チューブを移動させる前記部分において実質的に一定の直径を有する。
‐前記搬送チューブが収容された前記乾燥流体分配チャネルに摩擦接触するように構成されたシールを受容するように、前記搬送チューブの前記外壁に周溝が設けられる。
‐前記分配ロッドの上流端部（上流最端部）からその下流端部（下流最端部）に向かって、前記乾燥流体分配チャネルは、少なくとも１つの上流部分と、前記上流部分の直径より小さい直径を有する１つの下流部分とを有する。
‐前記乾燥流体分配チャネルの直径、前記搬送チューブの外径、及び前記搬送チューブの下流端部（下流最端部）の付近に配置された前記Ｏリングの寸法は、前記搬送チューブがシールした態様で前記乾燥流体分配チャネルの前記上流部分内で移動可能（摺動可能）であるように規定される。
【００１７】
本発明の１つの特徴によれば、フィンガが前記洗浄流体分配チャネルの内部で延び、前記フィンガは、前記洗浄流体入口ノズルの延長軸に対してオフセットされている。当該フィンガは、特に、前記装置の延長方向に対して横方向に、前記入口ノズルと前記搬送チューブとの間で配置され得るとともに、実質的に円柱状又は円筒状の形状を有し得る。
【００１８】
前記入口及び分配ヘッドの組立において、当該同一の中空本体の前記搬送チューブ及び前記フィンガが、前記乾燥流体分配チャネル及び前記洗浄流体分配チャネルにそれぞれ同時に係合し得るように、前記洗浄流体分配チャネル及び前記乾燥流体分配チャネルは、前記分配ロッドの内部において配置され得る。
【００１９】
有利には、前記洗浄流体入口ノズル、前記乾燥流体入口ノズル、前記搬送チューブ、前記洗浄流体入口チャネル、前記乾燥流体入口チャネル、及び前記フィンガの全ては、互いに対して平行である。
【００２０】
本発明の１つの特徴によれば、前記洗浄流体分配チャネルは、異なる直径を有する部分を有し、これらの直径は、前記分配ロッドの前記上流端部（上流最端部）からその前記下流端部（下流最端部）に向かって縮小し、前記フィンガの少なくとも前記下流端部が、前記ロッドに対する前記フィンガの相対移動に応じて、異なる直径を有する部分において延びるように構成される。
【００２１】
したがって、前記分配ロッドの上流端部（上流最端部）からその下流端部（下流最端部）に向かって、前記洗浄流体分配チャネルは、少なくとも１つの上流部分と、前記上流部分の直径よりわずかに小さい直径を有する１つの中間部分と、前記中間部分の直径より小さい直径を有する下流部分と、を含む。前記洗浄流体分配チャネルの前記中間部分の直径、前記中空本体の前記フィンガの外径、及び当該フィンガの下流端部（下流最端部）の付近に配置された前記Ｏリングの寸法は、前記フィンガがシールした態様で前記洗浄流体分配チャネルの前記中間部分内で移動可能（摺動可能）であるように規定される。
【００２２】
本発明の更なる特徴によれば、前記中空本体の下流端部にはオリフィスが貫通しており、オリフィスの壁は、いずれも、上流において前記中空本体の前記キャビティ内に連続し、下流においてスリーブによって前記中空本体の外部に連続することが想定され得る。スリーブの特徴及び寸法は後記する。
【００２３】
単独で、又は上述の及び下記の他の特徴とそれぞれ組み合わせて採用される種々の特徴によれば、以下の構成が作製され得る。
‐前記洗浄流体チャネルの前記中間部分の直径、前記中空本体の前記フィンガの外径、及び当該フィンガの下流端部（下流最端部）の付近に配置された前記Ｏリングの寸法は、前記フィンガがシールした態様で前記洗浄流体分配チャネルの前記中間部分内で移動可能（摺動可能）であるとともに、前記シールが前記上流部分内にある時に洗浄流体を通過させ得るように規定される。
‐前記分配ロッドは、その前記上流端部（上流最端部）の付近にリムを備える。
‐前記弾性復帰要素は、前記リムの表面を押圧する。
‐シールを受容するように前記リムの前記外壁に周溝が設けられ、これにより、前記シールが設けられた前記分配ロッドは、シールした態様で前記中空本体内で移動可能（摺動可能）である。
【００２４】
有利には、前記中空本体の前記フィンガと前記中空本体内で前記乾燥流体入口ノズルに連続する前記搬送チューブとの間の間隔に実質的に等しい間隔を置いた状態で、前記洗浄流体分配チャネル及び前記乾燥流体分配チャネルは、前記分配ロッドの内部において横方向に配置される。換言すれば、本発明による装置の前記中空本体及び前記ロッドは、当該同一の中空本体の前記搬送チューブ及び前記フィンガが、前記乾燥流体分配チャネル及び前記洗浄流体分配チャネルそれぞれに同時に係合し得るようにそれぞれ構成される。
【００２５】
本発明の１つの特徴によれば、前記洗浄装置は、前記別個の分配チャネルを含む前記入口及び分配ヘッドの他に、洗浄流体貯蔵タンクと、乾燥流体貯蔵タンクと、前記タンクと前記入口及び分配装置との間での洗浄流体の通流を制御するための要素と、を備え得る。制御モジュールにより制御される分配器の形状を取り得る前記制御要素は、以下の複数の位置を取るように構成される。
‐非稼働位置にある前記入口及び分配ヘッドへの洗浄流体の流入をブロックし得る位置。
‐第１に前記ヘッドを洗浄位置に移動させること、及び第２に洗浄流体を噴霧することを目的として、前記ヘッドに洗浄流体を供給し得る位置。
‐乾燥流体の供給が洗浄流体の供給から独立して制御され得る状態で、前記キャビティ内に洗浄液をブロックしつつ前記ヘッドを前記洗浄位置に保持し得る位置。
【００２６】
また、本発明は、特に光学センサを洗浄するための上述の洗浄装置を含むことを特徴とする自動車用の光学検出システム、及び光学検出システムが設けられた自動車であって、少なくとも１つの流体を前記光学検出システムの光学センサに向けて噴霧することが意図された少なくとも１つの洗浄装置を含むことを特徴とする自動車に関する。
【００２７】
本発明の更なる特徴、詳細及び利点とその作用が、添付図面を参照しつつ例示としてなされる以下の説明を読むことにより明らかになるであろう。
【図面の簡単な説明】
【００２８】
【図１】光学検出システムのセンサ及び対応する洗浄装置の概略斜視図。
【図２】上述の非稼働位置にある、本発明による入口及び分配ヘッドの概略断面図。
【図３】上述の洗浄位置にある、本発明による入口及び分配ヘッドの概略断面図。
【図４】本発明による洗浄装置の液体圧構造物の概略全体図。
【発明を実施するための形態】
【００２９】
最初に、図面は本発明をその実施のために詳細に開示するものであるが、当然ながら必要に応じて本発明をより良く定義し得ることに留意されたい。
【００３０】
また、以下の説明において、「上流」及び「下流」という用語は、洗浄流体及び乾燥流体の本発明による洗浄装置内における流れの方向を指すものであることを記憶されたい。したがって、「上流」という用語は、本発明による装置の一側であって、この側を介して洗浄流体及び乾燥流体が装置に流入する側を指し、「下流」という用語は、本発明による装置の一側であって、この側を介して洗浄流体及び乾燥流体が装置の外部に、自動車の光学検出システムの光学センサの表面に向けて分配される側を指す。
【００３１】
図１は、本発明による洗浄装置、すなわち、自動車用の光学検出システムＳの一部を形成する光学センサＣを洗浄するための装置を示す。洗浄装置は、少なくとも１つの流体入口及び分配装置Ｄを備える。洗浄流体及び乾燥流体が、２つの別個の搬送ユニットを介して、各流体専用の入口ノズル１１０、１１１からこの流体入口及び分配装置Ｄに選択的に流入する。流体入口及び分配装置Ｄは、矢印Ｆにより示される方向において、延出位置と後退位置（図１に示す）との間で並進移動に移動可能である。延出位置において、分配オリフィスは光学センサに対面配置される。後退位置において、流体入口及び分配装置は、その保護とセンサの光学検出を妨げないことを目的として装置の本体構造ハウジングＢの内部に後退している。
【００３２】
図２及び３を参照すると、本発明による洗浄装置の入口及び分配ヘッドが、洗浄流体及び乾燥流体がそれぞれ流入する少なくとも１つの中空本体１と、これらの流体を分配するためのロッド２と、バネタイプの弾性復帰要素３と、を含む。バネの弾性復帰力と、洗浄及び／又は乾燥のために使用される流体であって、入口及び分配ヘッドから流出する前に中空本体を通過して流れる流体の圧力とを理由として、ロッドは、中空本体の内部において移動（摺動）し２つの最端位置の間を並進移動する。
【００３３】
図２及び３に示す例において、中空本体１は、実質的に円筒状の全体形状を有するとともに、係止リングによって互いに連結された２つの部分を含む。より具体的には、中空本体１は、周壁１０ａと上流端部１１とから形成される上流部分１００と、周壁１０ｂと下流端部１２とから形成される下流部分１０１と、上流部分１００と下流部分１０１との連結を提供する係止リングとから構成される。中空本体１の上流部分１００の周壁１０ａと、中空本体１の下流部分１０１の周壁１０ｂは、いずれも実質的に円筒状の形状を有するとともに、実質的に同一の内径、外径、及び軸方向寸法を有する。
【００３４】
図２及び３により具体的に示す本発明の実施形態によれば、係止リングは、実質的に円筒状の形状を有するとともに、その回転軸の方向に沿って、中央部分１３０を含む。中央部分１３０の上流には、中央部分１３０と同一の内径及び中央部分の外径よりわずかに小さい外径を有する第１スリーブ１３１が連続する。中央部分１３０の下流には、中央部分１３０と同一の内径及び中央部分の外径よりわずかに小さい外径を有する第２スリーブ１３２が連続する。係止リングの中央部分１３０の外径は、中空本体１の上流及び下流部分１００及び１０１それぞれの周壁１０ａ、１０ｂの外径と実質的に等しい。同様に、第１及び第２スリーブ１３１及び１３２の外径は同一であり、且つそれらの外径は、中空本体１の上流及び下流部分１００及び１０１のそれぞれの周壁１０ａ及び１０ｂの内径よりごくわずかに小さい。軸方向において、係止リングの第１スリーブ１３１及び第２スリーブ１３２のそれぞれの寸法は、中空本体１の上流及び下流部分１００及び１０１のそれぞれの周壁１０ａ、１０ｂの内側軸方向寸法に実質的に等しい。したがって、係止リングの中央部分１３０の外壁と、この同一の係止リングの第１及び第２スリーブ１３１及び１３２のそれぞれの外壁とが交わる部分に形成されるショルダ（肩部）は、中空本体の組立において、中空本体１の上流及び下流部分１００及び１０１のそれぞれの周壁１０ａ、１０ｂに対する当接面を形成する。中空本体１の組立において、その上流部分及び下流部分は、第１及び第２スリーブ１３１、１３２にそれぞれ嵌合し、これにより、中空本体１の上流及び下流部分の周壁をこの嵌合部内にガイドする形状が実現される。
【００３５】
したがって、中空本体１の上流部分１００、下流部分１０１、及び係止リングは、中空本体１の内部を形成するキャビティ１４を規定する。本発明による装置の外側に対面するキャビティ１４をシールするための手段が、係止リングと、中空本体の上流部分１００及び下流部分１１０との間にそれぞれ挿入され得る。そして、これらのシール手段は、特に２つのＯリング、１５ａ及び１５ｂの形状をそれぞれ取り得る。各リングは、上流端部１１の内側表面の周囲、及び下流端部１２の内側表面の周囲にこれを目的として配置された溝に挿入される。
【００３６】
中空本体１の組立において、係止リングの第１スリーブ１３１の最端部、及び第２スリーブ１３２の最端部がこれらのＯリングを付勢し、これにより中空本体のキャビティ１４がシールした態様で閉鎖される。この閉鎖は、係止リングを中空本体の上流及び下流部分に係止する追加の手段によって強化され得る。例えば、追加の手段は図２及び３に図示しないネジであって、中空本体の上流部分の周壁１０ａとと係止リングの第１スリーブ１３１との間、及び／又は中空本体の下流部分の周壁１０ｂと係止リングの第２スリーブ１３２との間に径方向に挿入される。
【００３７】
上流端部１１は、キャビティ１４及び中空本体１を、上流側で、前記中空本体１の上流部分１００の周壁１０ａに対して実質的に垂直に閉塞する。洗浄流体入口ノズル１１０及び乾燥流体入口ノズル１１１が、上流端部１１から、キャビティ１４に対して反対方向に延びる。
【００３８】
図２及び３に示す例において、これらのノズルのそれぞれは実質的に円筒状の形状を有し、対応する流体が流入する入口チャネルが上流から下流に貫通している。すなわち、洗浄流体入口ノズル１１０には、洗浄流体入口チャネル１１２が上流から下流に貫通し、乾燥流体入口ノズル１１１には、当該乾燥流体が流入する入口チャネル１１３が上流から下流に貫通している。
【００３９】
洗浄流体入口チャネル１１２は、キャビティ１４に上流端部１１の内壁と同一平面において開口する。上述のように、入口チャネル１１２を介してキャビティに到達した洗浄流体の存在は、当該キャビティに収容された分配ロッドに圧力が加えられることに寄与し、これにより分配ロッドはその最端位置同士の間で移動する。
【００４０】
洗浄流体入口ノズル１１０は上流端部１１から延び、キャビティ１４に開口するチャネルを有するのに対し、乾燥流体入口ノズル１１１は、中空本体１のキャビティ１４の内部で、搬送チューブ１１４に連続する。搬送チューブ１１４は、乾燥流体入口ノズル１１１と同軸状に延びるとともに、ロッド２に作製されたダクトの中空本体の内部に配置されている。
【００４１】
乾燥流体入口チャネル１１３は、これが開口するロッド２の内部で、当該搬送チューブ１１４の下流最端部まで延びる。したがって、洗浄流体入口チャネル１１２と乾燥流体入口チャネル１１３は、キャビティ１４内に、又はロッド２内に別個に開口している。
【００４２】
周溝１１５が、搬送チューブ１１４の外壁において、その下流最端部の付近に、例えばＯリングであるシール１１６を受容するように配置される。シール１１６の機能は後述する。
【００４３】
有利には実質的に円柱状又は円筒状であるフィンガ１１７が、上流端部１１の内側表面から、搬送チューブ１１４に対して平行に、又は実質的に平行に延びる。フィンガ１７は、搬送チューブ１１４と洗浄流体入口チャネル１１２の貫通オリフィスとの間に実質的に配置される。有利には、フィンガ１１７の回転軸は、乾燥流体入口チャネル１１３の軸、及び洗浄流体入口チャネル１１２の軸に対して実質的に平行である。搬送チューブ１１４のレイアウトに応じて、フィンガ１７は、これがロッドに作製されたダクトに収容されるように配置される。
【００４４】
換言すれば、特に図２及び３に示すように、搬送チューブ１１４、洗浄流体入口チャネル１１２及び乾燥流体入口チャネル１１３、並びにフィンガ１１７の全ては互いに対して平行である。搬送チューブ１１４は乾燥流体入口チャネル１１３に連続しているが、フィンガは洗浄流体入口チャネル１１２に対してオフセットしている。
【００４５】
周溝１１８が、フィンガ１１７の外壁において、その下流最端部の付近に、例えばＯリングであるシール１１９を受容するように配置される。シール１１９の機能は後述する。
【００４６】
図示の実施形態において、フィンガ１１７の長さ、すなわち、これが上流端部１１から延びる距離は、チューブ１１４の長さよりわずかに大きい。特に、チューブ１１４の下流最端部分を超えて延びるフィンガ１１７の下流最端部分は、その下流最端部でわずかに細くなっている。換言すれば、フィンガ１１７は、その下流最端部に、小径の終端付属部１１７０を含んでいる。
【００４７】
本発明によれば、中空本体１の下流端部１２には、オリフィス１２０が穿孔されており、その壁は、スリーブ１２１によって、中空本体のキャビティ１４内にある上流部と、中空本体１の外側にある上流部とで連続している。スリーブ１２１の外径は、バネがキャビティ１４内で当該スリーブの周囲に挿入可能であるように、バネ３に対して規定されている。スリーブ１２１の他の形状及び寸法の詳細は後述する。
【００４８】
洗浄及び乾燥流体分配ロッド２について、更に詳細に説明する。
【００４９】
図２及び３により具体的に示す例において、分配ロッド２は、実質的に円柱状又は円筒状の形状を有する。その外径は、中空本体１の下流部分１０１のスリーブ１２１の内径よりわずかに小さく、これにより、分配ロッド２は、前記スリーブ内でこれと軸方向に整列しつつ自由に移動可能（摺動可能）となっている。本発明によれば、分配ロッド２は、その上流最端部の付近に、分配ロッド２の外周から突出するリム２０を含む。
【００５０】
分配ロッド２には、２つの別個のチャネル、すなわち洗浄流体分配チャネル２１及び乾燥流体分配チャネル２２が、上流から下流に貫通している。洗浄流体分配チャネル２１及び乾燥流体分配チャネル２２は、それぞれ、分配ロッド２の下流最端部において、図示しない単数又は複数の別個の分配オリフィスに開口している。換言すれば、ロッド内の第１チャネルは、特に洗浄流体の通流に専用とされ、光学センサの洗浄のために噴霧される流体は、この第１チャネルに作製された単数又は複数の分配オリフィスから流出する。一方、ロッド内で第１チャネルの隣に配置され、且つ第１チャネルとは別個の第２チャネルは、特に乾燥流体の通流に専用とされ、センサの乾燥のために噴霧される流体は、当該第２チャネルに特に作製された単数又は複数の分配オリフィスから流出する。
【００５１】
有利には、洗浄流体分配チャネル２１と乾燥流体分配チャネル２２とは平行であり、分配ロッド２において、中空本体１における搬送チューブ１１４とフィンガ１１７との間の間隔に実質的に同一である間隔を置いて配置される。換言すれば、本発明による装置の中空本体及びロッドは、搬送チューブ１１４及びフィンガ１１７が、乾燥流体分配チャネル２２及び洗浄流体分配チャネル２１にそれぞれ同時に係合し得るように各々構成されている。
【００５２】
このようにして、２つの別個の洗浄及び乾燥流体搬送ユニットが形成されている。乾燥流体搬送ユニットは、一列に並んだ、入口チャネル１１３が貫通する入口ノズル１１１及び搬送チューブ１１４と、特にロッド２内に作製された分配チャネル２２であって、搬送チューブ１４が開口する分配チャネル２２と、から構成される。乾燥流体は、洗浄流体に接触することなく、且つロッド２の外側に接触することなく、入口ノズル１１１から乾燥流体分配チャネルに作製された分配オリフィスまでまっすぐに流れる。また、洗浄流体搬送ユニットは、非整列要素（一直線上に並んでいない要素）の連続体から構成される。すなわち、入口ノズル１１０はロッド２内に特に作製された分配チャネル２１であって、洗浄流体入口ノズルに対応するフィンガが収容された分配チャネル２１と整列していない。洗浄流体は、入口ノズル１１１から洗浄流体分配チャネルに作製された分配オリフィスまで流れるが、最初にチャンバ１４に流入し、ここでロッド２の外側に接触する。ここで、洗浄流体搬送ユニットは、入口ロッドを移動するための手段を部分的に形成する。なぜならば、チャンバ１４に流入した洗浄流体は、ロッドに流れ込みその分配オリフィスを介して分配されることを保留しつつ、バネにより及ぼされる弾性復帰力に対抗してロッドを押圧するからである。したがって、移動手段は、洗浄流体と、チャンバを当該洗浄流体で加圧により充填する手段と、弾性復帰要素を形成するバネとから構成される。
【００５３】
分配ロッド２の上流最端部からその下流最端部まで、洗浄流体分配チャネル２１は、本発明による装置において、少なくとも１つの大径の上流部分と、上流部分の直径よりわずかに小さい直径を有する１つの中間部分と、中間部分の直径及び上流部分の直径の両者より小さい直径を有する下流部分と、を有する。より具体的には、洗浄流体分配チャネル２１には、その上流部分と中間部分とが交わる部分に第１ショルダ（第１肩部）２１０が形成され、その中間部分とその下流部分とが交わる部分に第２ショルダ（第２肩部）２１１が形成されている。分配チャネル２１の上流部分の直径と中間部分の直径との差は比較的小さいが、この同一の分配チャネル２１の中間部分の直径と下流部分の直径との差はかなり大きく、これにより、当該洗浄流体分配チャネルの下流部分は、そのボトルネックゾーンを構成していることに留意されたい。
【００５４】
洗浄流体分配チャネル２１の中間部分の直径は、フィンガ１１７の外径よりごくわずかに大きい。より具体的には、本発明によれば、洗浄流体分配チャネル２１の中間部分の直径、中空本体１のフィンガ１１７の外径、及び当該フィンガ１１７の下流最端部の付近に配置されたＯリング１１９の寸法は、前記フィンガ１１７がシールした態様で洗浄流体分配チャネル２１の中間部分内で移動可能（摺動可能）であるように規定されている。
【００５５】
上記の結果、洗浄流体分配チャネル２１の上流部分を規定する壁とフィンガ１１７との間にスペース２１２が形成され、これにより、洗浄流体は、当該スペースにおいてキャビティ１４と第１ショルダ２１０との間で自由に通流可能であることを理解されたい。
【００５６】
乾燥流体分配チャネル２２は、特に、キャビティ１４からの洗浄流体が当該乾燥流体分配チャネルに沿って流れることを十分に許容する搬送チューブ１１４の周囲に形成されたスペースが存在しないという点で、洗浄流体分配チャネル２１と異なっている。分配ロッド２の上流最端部からその下流端部まで、乾燥流体分配チャネル２２は、本発明による装置において、少なくとも１つの上流部分と、上流部分の直径より小さい直径を有する下流部分とを有する。より具体的には、乾燥流体分配チャネル２２には、その上流部分と下流部分とが交わる部分に、ショルダ（肩部）２２０が形成されている。この同一の分配チャネルの上流部分の直径と下流部分の直径との差は比較的大きいこと、及び当該乾燥流体分配チャネルの下流部分はそのボトルネックゾーンを構成することに留意されたい。
【００５７】
乾燥流体分配チャネル２２の直径は、その上流部分において、当該乾燥流体が流入する入口ノズル１１１から継続する搬送チューブ１１４の外径よりごくわずかに大きい。より具体的には、本発明によれば、乾燥流体分配チャネル２２の上流部分の直径、搬送チューブ１１４の外径、及び当該搬送チューブ１１４の下流最端部の付近に配置されたＯリング１１６の寸法は、搬送チューブがシールした態様で乾燥流体分配チャネル２２の上流部分内で移動可能（摺動可能）であるように規定され、このため、上述のようにスペースが形成されない。
【００５８】
本発明によれば、分配ロッド２の上流最端部付近に位置する分配ロッド２のリム２０は、中空本体１の係止リング１３の内径より、すなわち換言すれば、この同一の中空本体のキャビティ１４の直径よりわずかに小さい外径を有する。
【００５９】
周溝２００が、シール２０１を受容するようにリム２０の外壁に配置される。本発明によれば、分配ロッド２のリム２０の外径及びシール２０１は、シール２０１が設けられた分配ロッド２がシールした態様で中空本体１のキャビティ１４内で移動可能（摺動可能）であるように規定されている。図示のように、シール２０１はリップシールである。
【００６０】
本発明による装置の組立は以下のように実施され得る。
【００６１】
最初に、下流端部２３とスリーブ１３とを、２つの部品の間で対応するＯリング１５ｂを圧縮することにより組み付ける。次いで、バネ３を、前記下流端部１２の内側表面に押し付けるようにして下流端部１２のスリーブ１２１の周囲に配置する。
【００６２】
次いで、リム２０に収容されたシール２０１が設けられた分配ロッド２を、中空本体１の下流部分１０１のスリーブ１２１に挿入する。そこで、分配ロッド２は、その外径と前記スリーブの内径とを理由として、これと軸方向に整列したまま自由に移動（摺動）するように嵌合する。シール２０１は、係止リングの内壁に対して圧縮され、これにより、分配ロッドは自由ではあるが、シールした態様で係止リング内で移動可能（摺動可能）となる。フランジ２０は、バネ３に対する当接面と、上流端部壁に対して反対側の自由端部とを有する。これにより、バネ３は、中空本体１に対するロッド２の位置決めに寄与する。
【００６３】
次いで、中空本体１の上流部分１００を、上流端部１１に配置されたＯリング１５ａに押し付けた状態で係止リングの第１スリーブ１３１に嵌合させる。この動作において、これらの種々の要素のそれぞれの寸法を理由として、フィンガ１１７及び搬送チューブ１１４は、分配ロッド２に配置された洗浄流体分配チャネル２１及び乾燥流体分配チャネル２２にそれぞれ同時に係合する。
【００６４】
このようにして構成されたユニットは、本発明による装置の入口及び分配装置を形成する。
【００６５】
上記の結果、分配ロッド２と中空本体１との相対位置は、この同一の中空本体１のキャビティ１４内において、バネ３の復帰力と分配ロッド２のリム２０の上流表面に及ぼされ得る力との間で確立される均衡によって規定される。換言すれば、洗浄流体分配チャネル２１及び乾燥流体分配チャネル２２それぞれの内部におけるフィンガ１１７と搬送チューブ１１４との相対位置は、バネ３の復帰力と分配ロッド２のリム２０に及ぼされ得る力との間で確立され得る均衡により同様に制御される。分配ロッド２のリム２０の上流表面に加えられる力の強度に応じて、分配ロッドは、バネ３を圧縮しつつ、又は圧縮せずに、中空本体１の下流部分１０１のスリーブ１２１を通過して下流に移動（摺動）する、又はしないであろう。分配ロッド２のリム２０の上流表面に全く力が加えられていない場合、分配ロッドは第１最端位置、すなわち非稼働位置にあり、バネは完全に弛緩しているであろう。逆に、バネ３を可能な限り圧縮させると、分配ロッド２は、中空本体１の下流部分のスリーブ１２１を通過して可能な限り下流まで移動（摺動）し、第２最端位置、すなわち洗浄位置に到達するであろう。
【００６６】
図２は、上述の非稼働位置にある本発明による装置を示す。バネ３の復帰力のみが分配ロッド２に及ぼされて、ロッドは中空本体１の上流部分付近に保持されており、当該バネ３は完全に弛緩している。この位置は、洗浄流体及び乾燥流体が上述の入口及び分配ヘッドに流入していない状態に対応する。分配ロッド２と中空本体１との当該相対位置において、フィンガ１１７は洗浄流体分配チャネル２１に係合し、これによりその下流端部付近に配置されたＯリング１１９は、前記洗浄流体分配チャネルの中間部分に位置しており、これにより当該部分はシールした態様で閉鎖されている。したがって、洗浄流体入口ノズル１１０に存在し得る流体は、この非稼働位置において、洗浄流体分配チャネル２１の下流部分に通流することはできない。図２に示すように、洗浄流体入口ノズル１１０とこの同一の流体を分配するための分配チャネル２１の下流部分との間のシール作用は、分配ロッド２の上流最端部が上流端部１１の内面を押圧することによるシール作用によって補足（補助）されていることに留意されたい。また、図２に示すように、上流端部１１の内壁と、分配ロッド２の上流最端部と、この同一の分配ロッドのリム２０の上流表面と、係止リングの第１スリーブ１３１の内壁とがともに入口チャンバ４を規定していることに留意されたい。この入口チャンバ４は、分配ロッドのリム２０の周囲に配置されたシール２０１の存在により、及び係止リングの第１スリーブ１３１が押圧するシール１５ａの存在によりシールされている。図２に示す非稼働位置において、上述のように、この入口チャンバ４は、洗浄流体分配チャネル２１の中間部分におけるフィンガ１１７の位置により、分配チャネルの下流部分に対面した状態でシールされている。これに対し、図２に示す非稼働位置において、乾燥流体入口ノズル１１１に存在する流体は、乾燥流体分配チャネル２２の下流最端部まで自由に通流することができる。
【００６７】
図３は、上述の洗浄位置にある本発明による装置を示す。流体が矢印Ａにより示す方向において洗浄流体入口ノズル１１０を介して流入すると、流体は上述の入口チャンバ４に流れ込み、ここで、分配ロッドのリム２０の上流表面に対して、当該分配ロッドを中空本体１において上流壁から離間するように下流に移動（摺動）させつつバネ３を圧縮する力を及ぼし、これにより入口チャンバ４の容積が増加する。中空本体１に対して分配ロッド２が下流に移動（摺動）することにより、フィンガ１１７が洗浄流体分配チャネル２１の上流部分に向かって、分配ロッド内で相対的に移動（摺動）する。ここで、分配ロッド２のみが移動し、変化するのは分配ロッドの種々の部品と中空本体１の種々の部品との相対位置のみであることを理解されたい。
【００６８】
本発明による装置の種々の部品の寸法は、洗浄流体分配チャネル２１の上流部分に向かうフィンガ１１７の相対移動（相対摺動）において、フィンガ１１７の下流最端部に配置されたＯリング１１９が、上流方向において、洗浄流体分配チャネル２１の上流部分と中間部分とが交わる部分により規定された第１ショルダ２１０を通過して、これにより前記分配チャネルの前記上流部分に配置されるように規定されている。当該上流部分の直径は当該分配チャネルの中間部分の直径よりわずかに大きいため、分配チャネルにおけるフィンガ１１７の移動（相対摺動）は、もはやシールされなくなる。したがって、洗浄流体は、当該分配チャネル２１の下流部分に、及び対応する分配オリフィスに、そして洗浄すべき光学センサの表面に流れることができる。ここで、フィンガ１１７の最端部においてより小さい直径を有する付属部１１７０の存在により、Ｏリング１１９が第１ショルダ２１０を通過する際に生成され得る「吸引」効果が防止されることで、洗浄流体の通流が向上され得ることに留意されたい。洗浄流体分配チャネル２１の上流部分におけるフィンガ１１７の相対移動（相対摺動）は、ノズル１１０を介した流体の流入が停止するまで、又は、図３に示すように、分配ロッドのリム２０の下流表面が中空本体１のスリーブ１２１の上流最端部を押圧するまで継続する。この洗浄位置において、分配ロッド２は、中空本体１の下流に延び出した最端位置にあり、これは、下流最端部に配置された洗浄流体分配オリフィス及び乾燥流体分配オリフィスが、それぞれ洗浄すべき光学センサの表面に可能な限り近接した位置に対応する。
【００６９】
洗浄流体の流入が停止すると、バネ３の復帰力によりバネはその当初位置に戻るまで弛緩し、リム２０の下流表面をスリーブ１２１に対して反対方向に押す。この移動において、分配ロッド２は、今度は本発明による装置の上流方向に移動（摺動）し、入口チャンバ４の容積が縮小する。入口チャンバは、特に洗浄流体分配チャネル２１を介して空になる。これは、フィンガ１１７の下流最端部に配置されたＯリング１１９が、今度は下流方向において、洗浄流体分配チャネル２１の上流部分と中間部分とが交わる部分により規定された第１ショルダ２１０を通過し、当該Ｏリング１１９が前記分配チャネルの前記中間部分に配置されるまで継続する。洗浄流体分配チャネル２１に対するフィンガ１１７の移動（摺動）は再びシールされ、洗浄流体はもはやこの同一の分配チャネルの下流部分に、又は対応する分配オリフィスに流れることができなくなる。
【００７０】
これらの種々の動作に際して、中空本体１のキャビティ１４において乾燥流体入口ノズル１１に連続する搬送チューブ１１４は、フィンガ１１７と同様に、分配ロッドに対して、及び特に乾燥流体分配チャネル２２に対して移動することに留意されたい。したがって、所定量の洗浄流体が入口チャンバ４に流入すると、搬送チューブ１１４は、分配チャネル２２においてその上流部分に向かって移動（摺動）する。そしてこの流入が停止すると、搬送チューブは、この同一の乾燥流体分配チャネル２２においてその下流部分に向かって移動（摺動）する。有利には、搬送チューブ１１４及び分配ロッド２の各寸法は、これら２つの要素の相対位置がどのようなものであっても、前記乾燥流体分配チャネル２２における当該搬送チューブの相対移動（相対摺動）がシールされたままであるように規定される。また、図２及び３に示すように、乾燥流体入口ノズル１１１を介して流入する流体は、分配ロッド２と中空本体１との相対位置がいかなるものであっても、乾燥流体分配チャネル２２の下流部分に、及び対応する分配オリフィスに、そして光学装置の当該表面に、自由に流れ得ることに留意されたい。
【００７１】
本発明による洗浄装置の液体圧構造物を、特に図４を参照して説明する。本発明による装置の液体圧構造物は、洗浄流体貯蔵タンク５と、当該流体を通流させるためのポンプ６とを含む。ポンプで汲み出された洗浄流体は、後述する分配器８が装着された第１パイプ６０に送られる。分配器は、タンクと流体入口及び分配装置Ｄとの間における洗浄流体の通流を制御するための要素の全部又は一部を形成する。
【００７２】
また、液体圧構造物は、乾燥流体を貯蔵するための、又はこのような流体の流れを得るためのタンク７と、収容タンクから洗浄装置の内部に乾燥流体を送るように配置された第２パイプ７０と、を備える。タンク７には、必要に応じて、自動車の光学検出システムの光学センサの乾燥に適する圧縮空気の流れを得ることを可能にするコンプレッサが設けられる。
【００７３】
分配器８は、洗浄流体の洗浄流体入口ノズル１１０への流入と、乾燥流体の乾燥流体入口ノズル１１１への流入を交互に制御することを可能にする。このために、分配器８は、少なくとも３つの異なる位置を取るように制御される。各位置は、本発明による装置の作動状態、すなわち、非稼働位置、外方すなわち充填位置、及び復帰又は空位置に対応する。非稼働位置において、第１パイプ６０は第１位置Ｐ１において分配器に連結され、洗浄流体はいずれの方向においても分配器に流入しない。外方すなわち充填位置において、第１パイプ６０は第２位置Ｐ２において分配器に連結され（図４に示す）、洗浄流体は外方方向においてのみ貯蔵タンクから入口及び分配装置に通流し得る。復帰又は空位置において、第１パイプ６０は第３位置Ｐ３において分配器に連結され、洗浄流体は入口及び分配装置から貯蔵タンクに向かう方向においてのみ通流し得る。
【００７４】
この分配器は、図示しない制御モジュールにより制御される。制御モジュールは、分配器の状態の変更を制御するように構成され、分配器とともに、貯蔵タンクと流体入口及び分配装置との間における少なくとも洗浄流体の通流を制御する要素を形成する。
【００７５】
これらの制御要素は、非稼働位置にある入口及び分配装置への洗浄流体の流入をブロックするように構成され、第１に入口及び分配装置を洗浄位置に移動させること、第２に洗浄流体を噴霧することを目的として、入口及び分配装置に洗浄液を供給するように構成され、且つ乾燥流体の供給が洗浄流体の供給から独立して制御され得る状態で、キャビティ内に洗浄流体をブロックしつつ入口及び分配装置を洗浄位置に保持するように構成される。
【００７６】
非稼働位置において、洗浄流体の流入（送り込み）を制御する手段は閉鎖され、流体は本発明による入口及び分配装置に流入しない。同時に、乾燥流体の流入は、図示しない好適な弁によってブロックされる。
【００７７】
外方位置において、分配器８は、ロッドのリムを押してロッドの延長部を中空本体の外部に押し出すのに十分な第１の量の洗浄流体が入口及び分配装置に向かって流入することを可能とする。同時に、乾燥流体の流入（送り込み）を制御する手段が閉鎖される。より具体的には、この状態において、分配器８によって入口チャンバ４に流入する第１の量の洗浄流体は、洗浄流体分配チャネル２１に対するフィンガ１１７の相対移動により、フィンガ１１７の下流最端部付近に配置されたＯリング１１９が、ショルダ２１０を通過して当該分配チャネルの上流部分に配置され、これにより、洗浄流体が下流部分に、対応する分配オリフィスに、そして洗浄すべき光学部品の表面に流れることができるように、上述の制御手段によって規定される。この状態において、流体ロッド２は、下流に延び出したその最端位置にある。分配器８は、洗浄流体が洗浄流体分配チャネル２１を経由して噴霧されるまで、入口及び分配装置の当該充填位置に留まる。
【００７８】
光学センサの乾燥が必要となったら、洗浄流体が到達することを停止するように、且つ特にこの時点でチャンバ４に存在する流体が戻ることをブロックするように、分配器８は非稼働位置に戻るように制御される。本発明によれば、分配オリフィスが洗浄すべき光学センサの付近に配置された状態で分配ロッド２が延び出した洗浄位置に留まり、これにより乾燥流体が光学センサに可能な限り接近して噴霧されることが必須であることを理解されたい。洗浄流体はブロックされているので、バネの復帰力があっても洗浄流体は入口チャンバから噴射され得ない。フィンガがバネの影響下で移動（摺動）し、フィンガ１１７の周囲に配置されたＯリングが洗浄流体分配チャネル２１の中間部分内の位置を取るまでに、ごく微量の流体が洗浄流体分配チャネル２１により噴射されるのみである。
【００７９】
この非稼働位置において、次いで乾燥流体の入口及び分配装置への流れを許容する又はブロックする弁が制御される。乾燥流体が、洗浄流体が通流した分配チャネルとは別の分配チャネルを通過して光学センサに向けて噴霧される。十分な量の乾燥流体が噴霧されたら、乾燥流体の到着がブロックされるとともに、分配器８はチャンバ４に存在する洗浄流体を排出するように空位置に制御される。これにより、分配ロッドが中空本体１の内部で後退する。乾燥流体の通流は洗浄流体の通流から独立しており、これにより乾燥流体の供給は洗浄流体の供給と同時であってもこれに続いてもよく、噴霧される乾燥流体が残留する洗浄流体の存在によって湿気を帯びることがないことに留意されたい。
【００８０】
本発明は、分配器タイプの制御手段の単純な使用及び上述の入口及び分配装置の新規な構成により、少なくとも１つの流体を、自動車の洗浄すべき表面に、例えば光学検出システムの光学センサに向けて噴霧することが意図された洗浄装置であって、制御が簡単であり、洗浄動作において洗浄流体と乾燥流体とが混じり合うリスク、また特に流入前に残留する洗浄流体によって湿気を帯びた乾燥流体を噴霧するリスをク回避する洗浄装置を製造することを可能とする。したがって、本発明は、このような洗浄の有効性及び品質を向上させるとともに、当該センサにより提供される信号の品質やこれに関連する運転支援を向上させることが可能である。
【００８１】
しかしながら、本発明は、上述及び図示の手段や構成に限定されるものではなく、全ての同等の手段や構成、及びこのような手段のあらゆる組み合わせに適用される。特に、本発明を、入口及び分配装置及びその部品の全体的幾何学構成が円柱状または円筒状の幾何学的構成である実施形態について説明したが、上述の種々のシールや機能を生成する要素が存在する限り、本発明は明瞭にあらゆるタイプの幾何学的構成や形状に適用される。
【図１】
2019531964.tif 000003
【図２】
2019531964.tif 000004
【図３】
2019531964.tif 000005
【図４】
2019531964.tif 000006
【国際調査報告】
2019531964.tif 000007
2019531964.tif 000008
2019531964.tif 000009
2019531964.tif 000010
2019531964.tif 000011
2019531964.tif 000012